(57)【要約】  【課題】  操作性及び利便性をより向上できる複合ビデオ装置を提供する。  【解決手段】  ビデオテープに録画を行うＶＴＲ部３とＤＶＤに録画を行うＤＶＤ部５とを有する複合ビデオ装置１において、ＶＴＲ部３またはＤＶＤ部５に関する設定項目２５ａ〜２５ｅを表示した設定画面を出力する出力部８と、設定項目２５ａ〜２５ｅを選択して設定を行う操作部１１とを備え、ＶＴＲ部３に関する設定項目２５ｃ〜２５ｅの設定時にＶＴＲ部３を示す第１のアイコン３０を設定画面に表示し、ＤＶＤ部５に関する設定項目２５ａ〜２５ｅの設定時にＤＶＤ部５を示す第２のアイコン３１を設定画面に表示し、ＶＴＲ部３及びＤＶＤ部５に関する設定項目２５ｃ、２５ｄの設定時に第１のアイコン３０及び第２のアイコン３１を設定画面に表示した。【選択図】      図６
2006067021.tif 000002
【特許請求の範囲】
【請求項１】
ビデオテープに録画を行うＶＴＲ部とＤＶＤに録画を行うＤＶＤ部とを有する複合ビデ
オ装置において、前記ＶＴＲ部または前記ＤＶＤ部に関する設定項目を表示した設定画面
を出力する出力部と、前記設定項目を選択して設定を行う操作部とを備え、前記ＶＴＲ部
に関する設定項目の設定時に前記ＶＴＲ部を示す第１のアイコンを前記設定画面に表示し
、前記ＤＶＤ部に関する設定項目の設定時に前記ＤＶＤ部を示す第２のアイコンを前記設
定画面に表示し、前記ＶＴＲ部及び前記ＤＶＤ部に関する設定項目の設定時に第１のアイ
コン及び第２のアイコンを前記設定画面に表示したことを特徴とする複合ビデオ装置。
【請求項２】
第１の記録媒体に録画を行う第１ビデオ録画部と第２の記録媒体に録画を行う第２ビデ
オ録画部とを有する複合ビデオ装置において、第１、第２ビデオ録画部に関する設定項目
を表示した設定画面を出力する出力部と、前記設定項目を選択して設定を行う操作部とを
備え、第１ビデオ録画部に関する設定項目の設定時に第１ビデオ録画部を示す第１のアイ
コンを前記設定画面に表示し、第２ビデオ録画部に関する設定項目の設定時に第２ビデオ
録画部を示す第２のアイコンを前記設定画面に表示したことを特徴とする複合ビデオ装置
。
【請求項３】
第１ビデオ録画部及び第２ビデオ録画部に関する設定項目の設定時に第１のアイコン及
び第２のアイコンを前記設定画面に表示したことを特徴とする請求項２に記載の複合ビデ
オ装置。
【請求項４】
第１、第２の記録媒体はビデオテープ、ＤＶＤ、ＨＤＤのいずれかから成ることを特徴
とする請求項２または請求項３に記載の複合ビデオ装置。
【請求項５】
テレビ受像部とビデオ録画部とを有する複合ビデオ装置において、前記テレビ受像部ま
たは前記ビデオ録画部に関する設定項目を表示した設定画面を前記テレビ受像器に出力す
る出力部と、前記設定項目を選択して設定を行う操作部とを備え、前記テレビ受像部に関
する設定項目の設定時に前記テレビ受像部を示す第１のアイコンを前記設定画面に表示し
、前記ビデオ録画部に関する設定項目の設定時に前記ビデオ録画部を示す第２のアイコン
を前記設定画面に表示したことを特徴とする複合ビデオ装置。
【請求項６】
前記テレビ受像部及び前記ビデオ録画部に関する設定項目の設定時に第１のアイコン及
び第２のアイコンを前記設定画面に表示したことを特徴とする請求項５に記載の複合ビデ
オ装置。
【請求項７】
前記記録媒体はビデオテープ、ＤＶＤ、ＨＤＤのいずれかから成ることを特徴とする請
求項５または請求項６に記載の複合ビデオ装置。
【発明の詳細な説明】
【技術分野】
【０００１】
本発明は、記録媒体に録画を行う第１のビデオ録画部に加えて、異なる記録媒体に録画
を行う第２のビデオ録画部やテレビ受像部を備えた複合ビデオ装置に関する。
【背景技術】
【０００２】
近年ビデオテープに録画できるとともにＤＶＤに録画できる複合ビデオ装置が商品化さ
れている。従来の複合ビデオ装置は電源を投入すると録画または再生を行うか初期設定を
行うかを選択することができる。初期設定を選択すると初期設定画面に移行し、ビデオテ
ープに録画を行うＶＴＲ部の初期設定及びＤＶＤに録画を行うＤＶＤ部の初期設定を行う
ことができる。
【０００３】
また、特許文献１にはＶＴＲ部とＤＶＤ部とに共通の設定を行うことのできる複合ビデ
オ装置が開示されている。この複合ビデオ装置は言語や国家等のＶＴＲ部とＤＶＤ部とに
共通の設定項目を設定すると、ＶＴＲ部及びＤＶＤ部の一方から他方に設定したデータが
転送される。これにより、ＶＴＲ部とＤＶＤ部で同じ設定操作を行う必要がなく、複合ビ
デオ装置の利便性を向上できるようになっている。
【特許文献１】特開２００４−３２６６７号公報（第５頁−第１４頁、第５図）
【発明の開示】
【発明が解決しようとする課題】
【０００４】
しかしながら、上記従来の複合ビデオ装置によると、ＶＴＲ部の設定を行っているのか
ＤＶＤ部の設定を行っているのかがユーザに解りにくい。このため、複合ビデオ装置の操
作性が悪くなる問題や、誤った設定を行う場合があり利便性が悪い問題があった。
【０００５】
本発明は、操作性及び利便性をより向上できる複合ビデオ装置を提供することを目的と
する。
【課題を解決するための手段】
【０００６】
上記目的を達成するために本発明は、ビデオテープに録画を行うＶＴＲ部とＤＶＤに録
画を行うＤＶＤ部とを有する複合ビデオ装置において、前記ＶＴＲ部または前記ＤＶＤ部
に関する設定項目を表示した設定画面を出力する出力部と、前記設定項目を選択して設定
を行う操作部とを備え、前記ＶＴＲ部に関する設定項目の設定時に前記ＶＴＲ部を示す第
１のアイコンを前記設定画面に表示し、前記ＤＶＤ部に関する設定項目の設定時に前記Ｄ
ＶＤ部を示す第２のアイコンを前記設定画面に表示し、前記ＶＴＲ部及び前記ＤＶＤ部に
関する設定項目の設定時に第１のアイコン及び第２のアイコンを前記設定画面に表示した
ことを特徴としている。
【０００７】
この構成によると、ＶＴＲ部によりビデオテープに録画が行われ、ＤＶＤ部によりＤＶ
Ｄに録画が行われる。電源を投入した時等に複合ビデオ装置の初期設定画面に移行すると
各設定項目が表示される。ユーザは各設定項目を選択して所望の設定を行う。この時、Ｖ
ＴＲの記録モード等のＶＴＲ部に関する設定項目を選択して設定した場合は、設定画面に
ＶＴＲ部を示す第１のアイコンが表示される。ＤＶＤの記録フォーマット等のＤＶＤ部に
関する設定項目を選択して設定した場合は設定画面にＤＶＤ部を示す第２のアイコンが表
示される。タイマー予約、時刻、チャンネル等のＶＴＲ部及びＤＶＤ部に関する設定項目
を選択して設定した場合は、設定画面に第１のアイコン及び第２のアイコンが表示される
。
【０００８】
また本発明は、上記構成の複合ビデオ装置において、第１の記録媒体に録画を行う第１
ビデオ録画部と第２の記録媒体に録画を行う第２ビデオ録画部とを有する複合ビデオ装置
において、第１、第２ビデオ録画部に関する設定項目を表示した設定画面を出力する出力
部と、前記設定項目を選択して設定を行う操作部とを備え、第１ビデオ録画部に関する設
定項目の設定時に第１ビデオ録画部を示す第１のアイコンを前記設定画面に表示し、第２
ビデオ録画部に関する設定項目の設定時に第２ビデオ録画部を示す第２のアイコンを前記
設定画面に表示したことを特徴としている。
【０００９】
この構成によると、第１ビデオ録画部により第１の記録媒体に録画が行われ、第２ビデ
オ録画部により第２の記録媒体に録画が行われる。電源を投入した時等に複合ビデオ装置
の初期設定画面に移行すると各設定項目が表示される。ユーザは各設定項目を選択して所
望の設定を行う。この時、第１ビデオ録画部に関する設定項目を選択して設定した場合は
、設定画面に第１ビデオ録画部を示す第１のアイコンが表示される。第２ビデオ録画部に
関する設定項目を選択して設定した場合は設定画面に第２ビデオ録画部を示す第２のアイ
コンが表示される。
【００１０】
また本発明は、上記構成の複合ビデオ装置において、第１ビデオ録画部及び第２ビデオ
録画部に関する設定項目の設定時に第１のアイコン及び第２のアイコンを前記設定画面に
表示したことを特徴としている。この構成によると、タイマー予約、時刻、チャンネル等
の第１、第２ビデオ録画部に関する設定項目を選択して設定した場合は、設定画面に第１
のアイコン及び第２のアイコンが表示される。
【００１１】
また本発明は、上記構成の複合ビデオ装置において、第１、第２の記録媒体はビデオテ
ープ、ＤＶＤ、ＨＤＤのいずれかから成ることを特徴としている。
【００１２】
また本発明は、上記構成の複合ビデオ装置において、テレビ受像部とビデオ録画部とを
有する複合ビデオ装置において、前記テレビ受像部または前記ビデオ録画部に関する設定
項目を表示した設定画面を前記テレビ受像器に出力する出力部と、前記設定項目を選択し
て設定を行う操作部とを備え、前記テレビ受像部に関する設定項目の設定時に前記テレビ
受像部を示す第１のアイコンを前記設定画面に表示し、前記ビデオ録画部に関する設定項
目の設定時に前記ビデオ録画部を示す第２のアイコンを前記設定画面に表示したことを特
徴としている。
【００１３】
この構成によると、ビデオ録画部により所定の記録媒体に録画が行われ、テレビ受像部
によりテレビ映像やビデオ録画部の再生映像が表示される。電源を投入した時等に複合ビ
デオ装置の初期設定画面に移行すると各設定項目が表示される。ユーザは各設定項目を選
択して所望の設定を行う。この時、テレビ受像部に関する設定項目を選択して設定した場
合は、設定画面にテレビ受像部を示す第１のアイコンが表示される。ビデオ録画部に関す
る設定項目を選択して設定した場合は設定画面にビデオ録画部を示す第２のアイコンが表
示される。
【００１４】
また本発明は、上記構成の複合ビデオ装置において、前記テレビ受像部及び前記ビデオ
録画部に関する設定項目の設定時に第１のアイコン及び第２のアイコンを前記設定画面に
表示したことを特徴としている。この構成によると、時刻、チャンネル等のテレビ受像部
及びビデオ録画部に関する設定項目を選択して設定した場合は、設定画面に第１のアイコ
ン及び第２のアイコンが表示される。
【００１５】
また本発明は、上記構成の複合ビデオ装置において、前記記録媒体はビデオテープ、Ｄ
ＶＤ、ＨＤＤのいずれかから成ることを特徴としている。
【発明の効果】
【００１６】
本発明によると、第１ビデオ録画部に関する設定項目を選択して設定した場合は、設定
画面に第１ビデオ録画部を示す第１のアイコンが表示され、第２ビデオ録画部に関する設
定項目を選択して設定した場合は設定画面に第２ビデオ録画部を示す第２のアイコンが表
示される。これにより、ユーザは第１、第２ビデオ録画部のどちらの設定項目を設定して
いるのかを容易に認識することができる。従って、複合ビデオ装置の操作性を向上できる
とともに設定の間違いを防止して利便性を向上することができる。
【００１７】
また本発明によると、第１ビデオ録画部及び第２ビデオ録画部に関する設定項目の設定
時に第１のアイコン及び第２のアイコンを設定画面に表示したので、共通の設定項目の設
定中であることを容易に認識することができる。
【００１８】
また本発明によると、テレビ受像部に関する設定項目を選択して設定した場合は、設定
画面にテレビ受像部を示す第１のアイコンが表示され、ビデオ録画部に関する設定項目を
選択して設定した場合は設定画面にビデオ録画部を示す第２のアイコンが表示される。こ
れにより、ユーザはテレビ受像部及びビデオ録画部のどちらの設定項目を設定しているの
かを容易に認識することができる。従って、複合ビデオ装置の操作性を向上できるととも
に設定の間違いを防止して利便性を向上することができる。
【００１９】
また本発明によると、テレビ受像部及びビデオ録画部に関する設定項目の設定時に第１
のアイコン及び第２のアイコンを前記設定画面に表示したので、共通の設定項目の設定中
であることを容易に認識することができる。
【発明を実施するための最良の形態】
【００２０】
以下に本発明の実施形態を図面を参照して説明する。図１は第１実施形態の複合ビデオ
装置の構成を示すブロック図である。複合ビデオ装置１は各部を制御する制御部２が設け
られている。制御部２にはＶＴＲ部３、光ディスク部５、チューナー７、出力部８、表示
部９、操作部１０、記憶部１１が接続されている。
【００２１】
ＶＴＲ部３は磁気ヘッド４を有し、ビデオテープＴに信号を書き込んで録画を行うとと
もにビデオテープＴから信号を読み取って再生を行うことができる。光ディスク部５は光
ピックアップ６を有し、書込み可能なディスクＤに信号を書き込んで録音や録画を行うと
ともにディスクＤから信号を読み取って再生を行うことができる。
【００２２】
ディスクＤとして、ＣＤ（ＣＤ−Ｒ、ＣＤ−ＲＷ等を含む）、ＤＶＤ（ＤＶＤ−Ｒ、Ｄ
ＶＤ＋Ｒ、ＤＶＤ−ＲＷ、ＤＶＤ＋ＲＷ、ＤＶＤ−ＲＯＭ、ＨＤ  ＤＶＤ（登録商標）、
ブルーレイディスク等を含む）を用いることができる。従って、光ディスク部５はＣＤの
記録再生を行うＣＤ部あるいはＤＶＤに記録再生を行うＤＶＤ部を構成している。
【００２３】
チューナー７はアンテナ１２が接続され、テレビ電波を各チャンネル毎に分波する。チ
ューナー７をＶＴＲ部３用と光ディスク部５用に別々に設けてもよい。出力部８はディス
プレイ１３が接続され、ＶＴＲ部３または光ディスク部５の再生映像や設定画面を出力し
てディスプレイ１３に表示する。表示部９は液晶パネル等から成り、時刻や複合ビデオ装
置１の動作状態を表示する。
【００２４】
操作部１０はユーザにより操作して複合ビデオ装置１の動作の指示や設定を行う。記憶
部１１はＥＥＰＲＯＭ等から成り、複合ビデオ装置１の動作プログラムやユーザ設定され
た設定値を格納するとともに演算の一時記憶を行う。
【００２５】
上記構成の複合ビデオ装置１において、電源を投入すると図２に示すようにディスプレ
イ１３の画面２０上に初期画面が表示される。初期画面には、初期設定画面に移行するア
イコン２３ａと録画または再生を行うアイコン２３ｂが表示され、下方には選択したアイ
コンのステイタスを表示するステイタスバー２１が設けられる。尚、同図はアイコン２３
ａの選択状態を示している。
【００２６】
アイコン２３ｂを選択決定すると録画または再生を行う状態に移行し、ビデオテープ、
ＣＤ、ＤＶＤいずれかの録画または再生が行われる。アイコン２３ａを選択決定して初期
設定画面を呼び出すと、図３に示す初期設定画面が表示される。初期設定画面では複数の
アイコン２４ａ〜２４ｆが表示される。尚、初期設定画面の上部には画面のタイトルを表
示するタイトルバー２２が表示される。また、同図はアイコン２４ｂの選択状態を示して
いる。
【００２７】
各アイコン２４ａ〜２４ｆを選択決定することによりそれぞれの設定画面に移行する。
アイコン２４ａを選択決定すると再生に関する設定画面に移行する。アイコン２４ｂを選
択決定すると録画に関する設定画面に移行する。アイコン２４ｃを選択決定するとディス
プレイ１３に表示を行う出力部８に関する設定画面に移行する。アイコン２４ｄを選択決
定するとビデオ入力チャンネルを選択する設定画面に移行する。アイコン２５ｅを選択決
定すると時刻の設定画面に移行する。アイコン２５ｆを選択決定するとチューナー７のチ
ャンネルの設定画面に移行する。
【００２８】
例えば、アイコン２４ｂを選択決定すると、図４に示すように、録画に関する設定項目
２５ａ〜２５ｅが並設された録画設定画面が表示される。設定項目２５ａはＤＶＤ−ＲＷ
の録画フォーマットを設定する。設定項目２５ｂはＤＶＤの録画時のチャプターを自動で
挿入するか否かを設定する。設定項目２５ｃはＶＴＲ部３または光ディスク部５による録
画のタイマー予約を設定する。設定項目２５ｄはダビングする際にＶＴＲ部３及び光ディ
スク部５のどちらを録画側にするかを設定する。設定項目２５ｆはＶＴＲ部３による録画
時の録画モードを設定する。
【００２９】
各設定項目２５ａ〜２５ｆを選択決定することによりそれぞれの項目を設定することが
できる。また、同図はＤＶＤの録画に関する設定項目２５ａの選択状態を示している。こ
の時、タイトルバー２２の端部には光ディスク部５に関する設定項目であることを示すア
イコン３１が表示される。設定項目２５ａを選択決定して設定を行う際もアイコン３１が
表示されている。同様に、図５に示すように、ＤＶＤの録画に関する設定項目２５ｂの選
択状態では、タイトルバー２２の端部に光ディスク部５に関する設定項目であることを示
すアイコン３１が表示される。
【００３０】
尚、光ディスク部５による録画はＤＶＤに行う場合が多いためアイコン３０には「ＤＶ
Ｄ」の文字が表示されているが、光ディスクの図や文字等により光ディスク部５を表わし
てもよい。また、光ディスク部５に関する設定時に、例えばＣＤに関する設定項目の設定
時とＤＶＤに関する設定項目の設定時とで異なるアイコンを表示してもよい。
【００３１】
また、図６はＶＴＲ部３及び光ディスク部５の録画に関する設定項目２５ｃの選択状態
を示している。この時、タイトルバー２２の端部にＶＴＲ部３及び光ディスク部５に関す
る設定項目であることを示すアイコン３０、３１が表示される。また、図７はＶＴＲ部３
の録画に関する設定項目２５ｆの選択状態を示している。この時、タイトルバー２２の端
部にＶＴＲ部３に関する設定項目であることを示すアイコン３０が表示される。
【００３２】
これにより、ユーザはＶＴＲ部３と光ディスク部５のどちらの設定項目を設定している
のかを容易に認識することができる。従って、複合ビデオ装置１の操作性を向上できると
ともに設定の間違いを防止して利便性を向上することができる。
【００３３】
尚、前述の図３に示すアイコン２４ｃ〜２４ｆを選択決定してＶＴＲ部３及び光ディス
ク部５に共通の時刻やチャンネル等の設定を行う際にも同様に、ＶＴＲ部３及び光ディス
ク部５に関する設定項目を示すアイコン３０、３１が同時に表示される。
【００３４】
また、ＶＴＲ部３または光ディスク部５に替えてハードディスクドライブに録画を行う
ＨＤＤ部を設けてもよい。この時、ＨＤＤ部に関する初期設定時には、ＨＤＤ部に関する
設定項目であることを示すアイコンを表示するとよい。
【００３５】
次に、図８は第２実施形態の複合ビデオ装置１の構成を示すブロック図である。本実施
形態は、前述の図１に示す第１実施形態のＶＴＲ部３に替えてテレビ受像部１４が設けら
れる。その他の部分は第１実施形態と同様である。尚、テレビ受像部１４用及び光ディス
ク部５用に別々にチューナー７を設けてもよい。
【００３６】
前述の図４、図５と同様に、初期設定時に、光ディスク部５に関する設定項目の設定時
にはタイトルバー２２の端部に光ディスク部５に関する設定項目であることを示すアイコ
ン３１が表示される。画質や音声等のテレビ受像部１４に関する設定項目の設定時にはタ
イトルバー２２の端部にテレビ受像部１４に関する設定項目であることを示すアイコンが
表示される。
【００３７】
また、時刻やチャンネル等のテレビ受像部１４及び光ディスク部５の録画に関する設定
項目の設定時には、タイトルバー２２の端部にテレビ受像部１４及び光ディスク部５に関
する設定項目であることを示すアイコンが表示される。従って、第１実施形態と同様の効
果を得ることができる。
【産業上の利用可能性】
【００３８】
本発明は、ＶＴＲ、光ディスク装置、ＨＤＤ録画装置、テレビ受像装置等を少なくとも
２以上備えた複合ビデオ装置に利用することができる。
【図面の簡単な説明】
【００３９】
【図１】本発明の第１実施形態の複合ビデオ装置の構成を示すブロック図。
【図２】本発明の第１実施形態の複合ビデオ装置の初期画面を示す図。
【図３】本発明の第１実施形態の複合ビデオ装置の初期設定画面を示す図。
【図４】本発明の第１実施形態の複合ビデオ装置の録画の設定画面を示す図。
【図５】本発明の第１実施形態の複合ビデオ装置の録画の設定画面を示す図。
【図６】本発明の第１実施形態の複合ビデオ装置の録画の設定画面を示す図。
【図７】本発明の第１実施形態の複合ビデオ装置の録画の設定画面を示す図。
【図８】本発明の第２実施形態の複合ビデオ装置の構成を示すブロック図。
【符号の説明】
【００４０】
１    複合ビデオ装置
２    制御部
３    ＶＴＲ部
５    光ディスク部
７    チューナー
８    出力部
９    表示部
１０    操作部
１１    記憶部
１３    ディスプレイ
１４    テレビ受像部
２３ａ、２３ｂ、２４ａ〜２４ｆ、３０、３１  アイコン
２５ａ〜２５ｅ  設定項目
【図１】
2006067021.tif 000003
【図２】
2006067021.tif 000004
【図３】
2006067021.tif 000005
【図４】
2006067021.tif 000006
【図５】
2006067021.tif 000007
【図６】
2006067021.tif 000008
【図７】
2006067021.tif 000009
【図８】
2006067021.tif 000010